(57)【要約】【課題】組立作業性の向上を図ることのできる蓋付き容器を提供する。【解決手段】ゴミ箱１は、ペダル５の操作に応じて蓋部材４を連動させる連動部材６を備える。連動部材６は、ペダル５の操作が行われることで上方に変位し、ペダル５への操作が解消されることで下方に変位する。蓋部材４は、ペダル５への操作が解消されることで蓋部材４が閉位置とされる際に、連動部材６の第２掛け部６４と当接し、第２掛け部６４から閉位置側へ向かう外力が付加される先端側片部６９とを備える。ペダル５への操作が行われることで蓋部材４が開位置とされている状態においては、第２掛け部６４が、先端側片部６９の上面側に対向配置され、蓋部材４が閉位置とされている状態においては、先端側片部６９と、第２掛け部６４とが、水平方向においてずれた位置に相対配置されている。【選択図】      図１８
2019137422.tif 000002
【特許請求の範囲】
【請求項１】
上方に開口する開口部を有する略箱状の容器本体と、
前記容器本体に対し、前記開口部を開閉可能に取付けられる蓋部材と、
使用者が操作可能に設けられた操作部材と、
前記操作部材の操作に応じて前記蓋部材を連動させる連動部材とを備え、
前記蓋部材は、前記容器本体の前記開口部を開放する開位置と、前記開口部を閉鎖する閉位置との間を回動変位可能に構成され、
前記連動部材は、前記操作部材の操作が行われることで上方に変位し、前記操作部材への操作が解消されることで下方に変位する構成であって、
前記蓋部材は、
前記操作部材への操作が行われることで前記蓋部材が前記開位置とされる際に、前記連動部材の開き作用部と当接し、前記開き作用部から前記開位置側へ向かう外力が付加される開き当接部と、
前記操作部材への操作が解消されることで前記蓋部材が前記閉位置とされる際に、前記連動部材の閉じ作用部と当接し、前記閉じ作用部から前記閉位置側へ向かう外力が付加される閉じ当接部とを備え、
前記操作部材への操作が行われることで前記蓋部材が前記開位置とされている状態においては、前記閉じ作用部が、前記閉じ当接部の上面側に対向配置され、
前記蓋部材が前記閉位置とされている状態においては、前記閉じ当接部と、前記閉じ作用部とが、水平方向においてずれた位置に相対配置されていることを特徴とする蓋付き容器。
【請求項２】
前記操作部材が操作されることで前記蓋部材が前記開位置とされた状態において、
前記閉じ作用部と、前記開き作用部とが上下に配置されるとともに、前記閉じ作用部と、前記開き作用部との間に、前記閉じ当接部、及び、前記開き当接部の一部が配置されること、又は、
前記開き当接部と、前記閉じ当接部とが上下に配置されるとともに、前記開き当接部と、前記閉じ当接部との間に、前記閉じ作用部、及び、前記開き作用部の一部が配置されることを特徴とする請求項１に記載の蓋付き容器。
【請求項３】
前記連動部材は、上下に延びるベース部と、前記ベース部の上端部、又は、その近傍部位から側方に延びる延在部と、前記延在部の先端部、又は、その近傍部位に設けられるアーム部とを備え、
前記アーム部が、前記閉じ作用部、及び、前記開き作用部を備え、
前記閉じ作用部、及び、前記開き作用部のうち一方は、前記延在部に対して交差する方向に延びていることを特徴とする請求項１又は２に記載の蓋付き容器。
【請求項４】
前記連動部材の前記ベース部は、前記容器本体の側壁部に沿って設けられるとともに、当該側壁部に当接又は近接するようにして配置され、
前記アーム部は、前記延在部の先端部、又は、その近傍部位から、前記容器本体の外方に向けて突出していることを特徴とする請求項３に記載の蓋付き容器。
【請求項５】
前記蓋部材は一対で設けられ、
前記連動部材の前記ベース部は、前記一対の蓋部材の間の位置において上下に延び、
前記延在部は、前記一対の蓋部材の各回転軸の近傍位置まで延在するようにして設けられていること請求項３又は４に記載の蓋付き容器。
【請求項６】
前記アーム部は、前記蓋部材の回転軸に沿った方向に延びる第１アームと、前記第１アーム部から上方に突出する第２アームとを備え、
前記蓋部材は、前記閉位置にある場合の下面から突出する裏面側突片部を備え、
前記裏面側突片部は、前記操作部材が操作されることで前記蓋部材が前記開位置にある場合に、前記第２アームが挿通状態とされ、前記蓋部材が前記閉位置にある場合に、前記第２アームの前記挿通状態が解消される係止孔を備え、
前記第２アームが前記閉じ作用部として構成されるとともに、前記裏面側突片部の前記係止孔の周辺部が前記閉じ当接部として構成されていることを特徴とする請求項３乃至５のいずれかに記載の蓋付き容器。
【発明の詳細な説明】
【技術分野】
【０００１】
本発明は、ゴミ箱等として用いられる蓋付き容器に関するものである。
【背景技術】
【０００２】
従来、ゴミ箱として、上方に開口する箱状の容器本体と、容器本体に対し、当該容器本体の開口部を開閉可能に装着される蓋部材とを備えたものが知られている。また、足先での蓋部材の開閉操作を可能とするべく、足先で踏まれることで操作が行われるペダルと、ペダルの操作に蓋部材を連動させる連動部材とを備えるものがある（例えば、特許文献１等参照。）。
【先行技術文献】
【特許文献】
【０００３】
【特許文献１】特開平７−２３０３号公報
【発明の概要】
【発明が解決しようとする課題】
【０００４】
ところで、上記特許文献１のように、蓋部材、ペダル、及び、連動部材を具備するゴミ箱を組立てる場合には、容器本体に対して、蓋部材、ペダル、及び、連動部材をそれぞれ装着するだけでなく、連動部材と、蓋部材とを連結する等の、容器本体に装着される部材同士を連結させる作業を必要とする。このため、かかる連結作業を簡素化する等、組立作業の効率化等が望まれている。
【０００５】
本発明は、上記例示した問題点等を解決するためになされたものであって、その目的は、組立作業性の向上を図ることのできる蓋付き容器を提供することにある。
【課題を解決するための手段】
【０００６】
以下、上記目的等を解決するのに適した各手段につき項分けして説明する。なお、必要に応じて対応する手段に特有の作用効果等を付記する。
【０００７】
手段１．上方に開口する開口部を有する略箱状の容器本体と、
前記容器本体に対し、前記開口部を開閉可能に取付けられる蓋部材と、
使用者が操作可能に設けられた操作部材と、
前記操作部材の操作に応じて前記蓋部材を連動させる連動部材とを備え、
前記蓋部材は、前記容器本体の前記開口部を開放する開位置と、前記開口部を閉鎖する閉位置との間を回動変位可能に構成され、
前記連動部材は、前記操作部材の操作が行われることで上方に変位し、前記操作部材への操作が解消されることで下方に変位する構成であって、
前記蓋部材は、
前記操作部材への操作が行われることで前記蓋部材が前記開位置とされる際に、前記連動部材の開き作用部と当接し、前記開き作用部から前記開位置側へ向かう外力が付加される開き当接部と、
前記操作部材への操作が解消されることで前記蓋部材が前記閉位置とされる際に、前記連動部材の閉じ作用部と当接し、前記閉じ作用部から前記閉位置側へ向かう外力が付加される閉じ当接部とを備え、
前記操作部材への操作が行われることで前記蓋部材が前記開位置とされている状態においては、前記閉じ作用部が、前記閉じ当接部の上面側に対向配置され、
前記蓋部材が前記閉位置とされている状態においては、前記閉じ当接部と、前記閉じ作用部とが、水平方向においてずれた位置に相対配置されていることを特徴とする蓋付き容器。
【０００８】
操作部材への操作が行われることで蓋部材が開位置にある状態において、連動部材の閉じ作用部は、操作部材の操作が解消された際に、連動部材の下方への変位に応じて、蓋部材（閉じ当接部）に対し閉位置側へ向かう外力を付加可能に構成するべく、蓋部材の閉じ当接部の上面側に対向するように配置される。しかしながら、例えば、蓋部材が閉位置とされた状態においても、連動部材の閉じ作用部が、蓋部材の閉じ当接部の上面側に対向するように配置されるといった構成を採用する場合（例えば、閉じ作用部と、閉じ当接部とが連結されているような場合）、例えば、操作部材を操作することなく閉位置にある蓋部材を上方へと変位させた（例えば、蓋部材の傾きを変えずに上方に変位させる）場合には、閉じ当接部が閉じ作用部に引っ掛かり、連動部材も蓋部材の変位に伴って上方に変位することとなる。
【０００９】
換言すれば、蓋付き容器の組立て作業に際し、連動部材が装着された容器本体に対して蓋部材を単純に装着しようとした場合には、蓋部材の装着が、連動部材によって阻害される。このため、連動部材と、蓋部材とを的確に組み付ける（連結させる）作業についても併せて行う必要が生じる。
【００１０】
これに対し、本手段１のように、蓋部材が閉位置とされている状態において、閉じ当接部と、閉じ作用部とが、水平方向においてずれた位置に相対配置されることで、蓋部材が閉位置とされている状態において、閉じ当接部の上面側に、閉じ作用部を含む連動部材が対向配置されないように構成することができる。当該構成により、例えば、閉位置にある蓋部材を容器本体から取外す場合に、蓋部材が連動部材に引っ掛かるといった事態を回避することができる。さらに、連動部材が装着された容器本体に対し蓋部材を装着する場合に、蓋部材の装着が連動部材により阻害されるといった事態を回避することができる。
【００１１】
その一方で、操作部材への操作が行われることで蓋部材が開位置とされている状態においては、閉じ作用部が、閉じ当接部の上面側に対向配置されることから、蓋部材と、連動部材とが連結されていなくても、操作部材の操作が解消されることで（連動部材が下方に変位すると）、閉じ作用部が、閉じ当接部に当接し、蓋部材に対して閉位置側へ向かう外力を付加するといった、操作部材、連動部材、及び、蓋部材の連動の機構を確立させることができる。従って、蓋付き容器の組立て作業に際し、蓋部材に関しては、単に、容器本体に装着するだけで、操作部材の操作と連動する状態とすることができ、例えば、蓋部材を容器本体に装着するだけでなく、連動部材と連結させる作業が必要な構成に比べ、蓋付き容器の組立て作業性の向上を図ることができる。また、蓋部材を容器本体から取外す必要が生じた場合の作業性の向上を図ることもできる。
【００１２】
さらに、操作部材への操作が行われることで蓋部材が開位置とされている状態では、蓋部材が上方に引っ張られる等して、当該蓋部材が容器本体から外れる方向に変位しようとしても、閉じ当接部が閉じ作用部に当接することで、かかる変位が規制されることとなる。従って、例えば、操作部材を勢いよく操作することで、蓋部材が勢いよく開位置とされた反動で、蓋部材が容器本体から外れてしまう等の、蓋部材の不用意な脱落を抑止することができる。
【００１３】
尚、「前記操作部材の操作を行うことなく、前記閉位置にある前記蓋部材を前記開位置まで変位させる場合に、前記蓋部材と、前記連動部材とが干渉しないこと」としてもよい。当該構成を採用する場合、操作部材を操作することなく、閉位置にある蓋部材に直接手を掛けて開位置へと変位させるような場合に、蓋部材が連動部材に引っ掛かる、或いは、蓋部材に連動して連動部材が持ち上がるといった事態が回避されることから、比較的容易に蓋部材を開位置へと変位させることができる。従って、蓋部材に直接手を掛けて開位置とさせる際の操作性の向上を図ることができる。
【００１４】
尚、「前記閉じ作用部が、前記閉じ当接部の上面側に対向配置され」とは、閉じ作用部の下面と、閉じ当接部の上面とが上下に離間して略平行に延びる構成に限定されず、閉じ作用部が閉じ当接部に対して閉位置側に向かう外力を付加可能になっていればよく、例えば、両者の傾きが異なっていてもよいし、両者が当接していてもよい。
【００１５】
手段２．前記操作部材が操作されることで前記蓋部材が前記開位置とされた状態において、
前記閉じ作用部と、前記開き作用部とが上下に配置されるとともに、前記閉じ作用部と、前記開き作用部との間に、前記閉じ当接部、及び、前記開き当接部の一部が配置されること、又は、
前記開き当接部と、前記閉じ当接部とが上下に配置されるとともに、前記開き当接部と、前記閉じ当接部との間に、前記閉じ作用部、及び、前記開き作用部の一部が配置されることを特徴とする手段１に記載の蓋付き容器。
【００１６】
手段２によれば、操作部材が操作されることで蓋部材が開位置とされた状態において、閉じ作用部及び開き作用部、若しくは、開き当接部及び閉じ当接部のうち一方の組が上下に配置され、他方の組がその間に配置されるように構成することで、閉じ作用部、開き作用部、開き当接部、及び、閉じ当接部の構成を極力コンパクトに構成することができる。
【００１７】
手段３．前記連動部材は、上下に延びるベース部と、前記ベース部の上端部、又は、その近傍部位から側方に延びる延在部と、前記延在部の先端部、又は、その近傍部位に設けられるアーム部とを備え、
前記アーム部が、前記閉じ作用部、及び、前記開き作用部を備え、
前記閉じ作用部、及び、前記開き作用部のうち一方は、前記延在部に対して交差する方向に延びていることを特徴とする手段１又は２に記載の蓋付き容器。
【００１８】
手段３によれば、上記手段１のように、操作部材への操作が行われることで蓋部材が開位置とされている状態においては、閉じ作用部が、閉じ当接部の上面側に対向配置され、蓋部材が閉位置とされている状態においては、閉じ当接部と、閉じ作用部とが、水平方向においてずれた位置に相対配置されるという構成をより確実に実現させることができる。
【００１９】
尚、「前記開き作用部は、前記蓋部材の回転軸に沿った方向に（略平行して）延びていること」としてもよい。この場合、アーム部の開き作用部のうち開き当接部と当接可能な範囲を増加させることができ、操作部材を操作して蓋部材を開位置とさせる場合に、開き作用部と、開き当接部とを確実に当接させることができる（開き作用部と、開き当接部とが位置ずれして、開き作用部から開き当接部へ上手く力が伝わらないといった事態を回避することができる）。従って、操作部材を操作して蓋部材を開位置とさせる際の操作性の向上を図ることができる。特に、開き作用部のうち開き当接部との当接面積が増加する（点ではなく、線で当接する）場合、開き当接部、及び、開き作用部の損傷等をより確実に抑制することができる。
【００２０】
手段４．前記連動部材の前記ベース部は、前記容器本体の側壁部に沿って設けられるとともに、当該側壁部に当接又は近接するようにして配置され、
前記アーム部は、前記延在部の先端部、又は、その近傍部位から、前記容器本体の外方に向けて突出していることを特徴とする手段３に記載の蓋付き容器。
【００２１】
手段４によれば、容器本体の容積が連動部材により減少してしまうといった事態を極力抑制することができる。また、例えば、蓋部材を開位置とした蓋付き容器同士を積み重ねる（ネスティングする）場合、或いは、連動部材を装着し、蓋部材を装着していない状態の容器本体同士をネスティングする場合において、連動部材が極力ネスティングを阻害しないようにすることができ、ネスティング効率、ひいては、蓋付き容器（容器本体）の運搬・保管効率の向上等を図ることができる。
【００２２】
手段５．前記蓋部材は一対で設けられ、
前記連動部材の前記ベース部は、前記一対の蓋部材の間の位置において上下に延び、
前記延在部は、前記一対の蓋部材の各回転軸の近傍位置まで延在するようにして設けられていること手段３又は４に記載の蓋付き容器。
【００２３】
手段５によれば、１つの連動部材で一対の蓋部材を同時に開閉させることができ、連動部材の構成の簡素化等を図ることができる。また、ベース部が一対の蓋部材の間の位置に設けられることから、蓋部材が一対で設けられる場合において、連動部材の構造の簡素化を図りつつ、連動部材をバランス良く配置することができる。さらに、延在部は蓋部材の回転軸の近傍位置まで延在することから、延在部の先端部又はその近傍に設けられるアーム部（開き作用部、及び、閉じ作用部）についても、蓋部材の回転軸の近傍部位において、開き当接部や閉じ当接部と当接することとなる。従って、蓋部材の開閉に際しての連動部材のストローク量を極力小さくすることができ、操作部材の操作性等の向上（蓋部材を開位置とする際の操作部材のストローク量の低減、操作部材の操作に応じて蓋部材が開閉される反応速度の向上等）を図ることができる。
【００２４】
手段６．前記アーム部は、前記蓋部材の回転軸に沿った方向に延びる第１アームと、前記第１アーム部から上方に突出する第２アームとを備え、
前記蓋部材は、前記閉位置にある場合の下面から突出する裏面側突片部を備え、
前記裏面側突片部は、前記操作部材が操作されることで前記蓋部材が前記開位置にある場合に、前記第２アームが挿通状態とされ、前記蓋部材が前記閉位置にある場合に、前記第２アームの前記挿通状態が解消される係止孔を備え、
前記第２アームが前記閉じ作用部として構成されるとともに、前記裏面側突片部の前記係止孔の周辺部が前記閉じ当接部として構成されていることを特徴とする手段３乃至５のいずれかに記載の蓋付き容器。
【００２５】
手段６によれば、操作部材が操作されることで蓋部材が開位置とされる際の閉じ作用部と、閉じ当接部との干渉を回避しつつ、蓋部材を閉位置とさせる際には、閉じ作用部が閉じ当接部に確実に当るように構成することができる。特に、閉じ当接部を構成する裏面側突片部に係止孔を設けることによって、閉じ作用部と、閉じ当接部との干渉を効率的に回避させることができるため、操作部材が操作されることで蓋部材が開位置とされている状態において、操作部材の操作を解消してから、閉じ作用部が閉じ当接部と当接して、蓋部材が閉位置側に変位するまでの時間の短縮（蓋部材の反応速度の向上）等を図ることができる。従って、操作部材による蓋部材の開閉操作性の向上等を図ることができる。
【図面の簡単な説明】
【００２６】
【図１】ゴミ箱の正面かつ上面側を示す斜視図である。
【図２】ゴミ箱の裏面かつ下面側を示す斜視図である。
【図３】ペダルの操作が行われることで蓋部材が開位置とされた状態を示す斜視図である。
【図４】ペダルの操作が行われることで蓋部材が開位置とされた状態を示す平面図である。
【図５】容器本体の斜視図である。
【図６】蓋部材の上面側を示す斜視図である。
【図７】蓋部材の下面側を示す斜視図である。
【図８】図７のＪ部を示す部分拡大斜視図である。
【図９】連動部材の斜視図である。
【図１０】連動部材のアーム部を示す部分拡大斜視図である。
【図１１】（ａ）はペダルの上面側を示す斜視図であり、（ｂ）はペダルの下面側を示す斜視図である。
【図１２】袋止め部材を示す斜視図である。
【図１３】蓋部材が閉位置にある状態における蓋部材の裏面側突片部、及び、補助片部と、連動部材のアーム部との相対位置関係を説明するための斜視図である。
【図１４】図１３のＫ部を示す一部断面を含む部分拡大斜視図である。
【図１５】蓋部材が閉位置にある状態における蓋部材の補助片部と、連動部材のアーム部（第１アーム）との相対位置関係を説明するための断面図である。
【図１６】蓋部材が閉位置にある状態における蓋部材の裏面側突片部と、連動部材のアーム部（第２アーム）との相対位置関係を説明するための断面図である。
【図１７】蓋部材が閉位置にある状態における蓋部材の裏面側突片部、及び、補助片部と、連動部材のアーム部との相対位置関係を説明するための下面図（容器本体は省略）である。
【図１８】蓋部材が閉位置から開位置とされる過程にある状態における蓋部材の裏面側突片部、及び、補助片部と、連動部材のアーム部との相対位置関係を説明するための斜視図である。
【図１９】蓋部材が開位置とされる過程にある状態における蓋部材の補助片部、及び、裏面側突片部（内側片部）と、連動部材のアーム部（第１アーム）との相対位置関係を説明するための断面図である。
【図２０】蓋部材が開位置とされる過程にある状態における蓋部材の裏面側突片部と、連動部材のアーム部（第２アーム）との相対位置関係を説明するための断面図である。
【図２１】蓋部材が開位置にある状態における蓋部材の裏面側突片部、及び、補助片部と、連動部材のアーム部との相対位置関係を説明するための斜視図である。
【図２２】蓋部材が開位置にある状態における蓋部材の裏面側突片部、及び、補助片部と、連動部材のアーム部との相対位置関係を説明するための断面図である。
【図２３】蓋部材が開位置にある状態における蓋部材の裏面側突片部と、連動部材のアーム部との相対位置関係を説明するための断面図である。
【図２４】蓋部材が開位置にある状態における蓋部材の裏面側突片部、及び、補助片部と、連動部材のアーム部との相対位置関係を説明するための下面図（容器本体は省略）である。
【図２５】ゴミ箱をネスティングした状態を示す斜視図である。
【図２６】容器本体をネスティングした状態を示す斜視図である。
【図２７】ゴミ箱を横並びで連結した状態を示す斜視図である。
【図２８】別の実施形態におけるゴミ箱を示す斜視図である。
【図２９】別の実施形態におけるゴミ箱を示す斜視図である。
【図３０】別の実施形態におけるゴミ箱を示す斜視図である。
【図３１】別の実施形態におけるゴミ箱を示す斜視図である。
【発明を実施するための形態】
【００２７】
以下に、一実施形態について図面を参照して説明する。図１〜図３等に示すように、蓋付き容器としてのゴミ箱１は、上方に開口する開口部３を有する略箱状の容器本体２と、容器本体２に対し、開口部３を開閉可能に取付けられる一対の蓋部材４と、使用者が足先で踏むことで操作を行う操作部材としてのペダル５と、ペダル５の操作に応じて蓋部材４を連動させる連動部材６とを備えている。
【００２８】
図１、図４、図５等に示すように、容器本体２は、平面視略矩形状の底壁構成部１２、底壁構成部１２の相対する一対の長側辺部からそれぞれ上方に延びる相対する一対の長辺側側壁部１３、及び、底壁構成部１２の相対する一対の短側辺部からそれぞれ上方に延びる相対する一対の短辺側側壁部１４を具備する収容部１１と、収容部１１の上縁部全周から容器本体２の外周側に突出する張出し部１５と、張出し部１５の先端縁から上方に突出する縁壁部１６とを備えている。収容部１１は上方に向けて拡幅するテーパ状に構成されている。尚、本実施形態の容器本体２は、ポリプロピレンにより一体的に構成されている。
【００２９】
また、図５に示すように、本実施形態の張出し部１５は、収容部１１の上縁部から容器本体２の外周側に延びる下段壁部１７と、下段壁部１７の先端縁部から上方に延びる縦壁部１８と、縦壁部１８の上縁部から容器本体２の外周側に延びる上段壁部１９とを備えている。さらに、本実施形態の容器本体２には、縁壁部１６のうち一方の短辺側側壁部１４（以下、「正面側側壁部１４ａ」とも称する）に対応する部位の上辺部と連結され、下方に向けて容器本体２の外方に傾斜して延びる折返し壁部２０が設けられている。折返し壁部２０は、その下縁部が、張出し部１５の下面と同じ高さ位置となるまで延びている。加えて、他方の短辺側側壁部１４（以下、「裏面側側壁部１４ｂ」とも称する）、及び、一対の長辺側側壁部１３に対応する部位においても折返し壁部２０が設けられているが、当該折返し壁部２０については、縁壁部１６の下辺部を下方に延長させるような格好で上段壁部１９から下方に（その下縁部が、張出し部１５の下面と同じ高さ位置となるまで）延びている。
【００３０】
図６、図７等に示すように、各蓋部材４は、容器本体２の開口部３を閉鎖可能な略矩形板状の天壁部２１と、天壁部２１の外周縁から下方に突出する枠壁部２２と、枠壁部２２のうち天壁部２１の短側辺部に対応する部位の外面の一方の側端部近傍部位から外方に突出する略円柱状の軸部２３とを備えている。尚、本実施形態の蓋部材４は、ポリプロピレンにより一体的に構成されている。
【００３１】
さらに、図３等に示すように、本実施形態の蓋部材４は、容器本体２の各長辺側側壁部１３に対応して回動変位可能に取付けられている。具体的には、張出し部１５のうち各長辺側側壁部１３に対応する部位の上段壁部１９の上方位置において、蓋部材４の回転軸２４（図６等参照）が、長辺側側壁部１３の上辺部に沿って、長辺側側壁部１３の横幅方向と平行して延在するように構成されている。つまり、図５に示すように、縁壁部１６のうち各短辺側側壁部１４と対応する面（各短辺側側壁部１４の外面と同じ側を向く面）を具備する部位に対し、張出し部１５のうち各長辺側側壁部１３に対応する部位の上段壁部１９の両側端部の上方位置において、蓋部材４の軸部２３を回動可能に支持する軸孔２５が設けられている。
【００３２】
また、蓋部材４は、短辺側側壁部１４の上辺部と略平行して延び、容器本体２の開口部３を閉鎖する閉位置（図１等参照）と、短辺側側壁部１４の上辺部に対して上方に略直交して延び、容器本体２の開口部３を開放する開位置（図３等参照）との間を回動変位可能に構成されている。蓋部材４が閉位置にある場合には、蓋部材４の枠壁部２２の下辺部が、容器本体２の短辺側側壁部１４に対応する上段壁部１９に当接して支持されるようになっている（図１３、図１５等参照）。尚、図１９等に示すように、長辺側側壁部１３に対応する上段壁部１９は、短辺側側壁部１４に対応する上段壁部１９よりも若干下方に位置しており、長辺側側壁部１３に対応する上段壁部１９が、蓋部材４の回動の妨げとならないように構成されている。その一方で、図２２等に示すように、蓋部材４が開位置にある場合には、蓋部材４の天壁部２１が、長辺側側壁部１３に対応する縁壁部１６の内側面に当接して支持されるようになっている。
【００３３】
図９等に示すように、連動部材６は、上下に延びる左右一対の縦棒３２、及び、一対の縦棒３２の下端部間を連結する連動連結部３３を具備するベース部としての昇降ベース部３１と、縦棒３２に対して直交する方向に延び、一対の縦棒３２の上端部と連結された延在部３４と、延在部３４の両端部に設けられたアーム部３５とを備えている。延在部３４は、左右一対の縦棒３２よりも側方に突出するようにして設けられている。図４等に示すように、本実施形態の延在部３４は、一対の長辺側側壁部１３の上辺部間の距離よりも若干長く、一対の長辺側側壁部１３に対応する張出し部１５の縦壁部１８間の距離よりも若干短くなっている。
【００３４】
また、各アーム部３５は、延在部３４の端部から、延在部３４の延在方向に対して交差し、かつ、昇降ベース部３１の延在方向に対して交差する方向に突出している。詳しくは後述するが、各アーム部３５は、連動部材６の変位に応じて、それぞれに対応する蓋部材４と接触し、蓋部材４に対して、開位置側、及び、閉位置側へ向かう力を付与するための部位である。尚、本実施形態の連動部材６は、断面略円形状の金属製の棒状体を適宜屈曲させる等することにより一体的に構成されている。
【００３５】
これに対し、図２、図４、図５等に示すように、裏面側側壁部１４ｂには、連動部材６の昇降ベース部３１を、容器本体２の外面側に配置するとともに、当該昇降ベース部３１を容器本体２の外周面よりも外方に突出させないようにするために、裏面側側壁部１４ｂの横幅方向中央部を容器本体２の内側に凹ませるようにして形成された連動収容部３７が設けられている。さらに、裏面側側壁部１４ｂに対応する張出し部１５の下段壁部１７（連動収容部３７の上方位置）には、上下に貫通し、昇降ベース部３１を挿通させるとともに、昇降ベース部３１の水平方向における位置決めを行う挿通孔３８が設けられている。裏面側側壁部１４ｂの横幅方向における挿通孔３８の幅は、昇降ベース部３１の横幅よりも若干広く、裏面側側壁部１４ｂの厚み方向における挿通孔３８の幅は、縦棒３２の径よりも若干広く構成されている。
【００３６】
そして、容器本体２の上方から、連動部材６の昇降ベース部３１を挿通孔３８に挿通させることで、連動部材６が容器本体２に装着されている。本実施形態では、連動部材６は、アーム部３５が延在部３４から容器本体２の外方に突出する向きで容器本体２に装着される。また、連動部材６の装着状態においては、昇降ベース部３１が連動収容部３７に収容されるとともに、延在部３４が容器本体２の内側に収容されることとなる。
【００３７】
図１１等に示すように、ペダル５は、略直方体形状の操作部４１と、操作部４１の一方の長側辺部の中央部と連結される略直方体形状のペダル本体４２とを備え、平面視略Ｔ字状をなしている。さらに、操作部４１、及び、ペダル本体４２は、下方に開口しており、その内側には、補強用リブ４３が設けられている。また、ペダル本体４２のうち、操作部４１と連結されていない側の端部には、上方に開口する断面略Ｃ字状のペダル連結部４４が設けられている。さらに、ペダル本体４２の長手幅方向における中間位置には、ペダル本体４２の各長側辺部側の側面から側方に突出する略円柱状のペダル軸部４５が設けられている。尚、本実施形態のペダル５は、ポリプロピレンにより一体的に構成されている。
【００３８】
これに対し、図２等に示すように、容器本体２の底壁構成部１２の下面側には、ペダル５を収容するためのペダル収容部４６が設けられている。ペダル収容部４６は、容器本体２の短手幅方向中央部において、容器本体２の長手幅方向に沿って延在し、ペダル５のペダル本体４２を収容する連通部４７と、ペダル５の操作部４１を収容する操作収容部４８と、ペダル連結部４４を収容する連結収容部４９とを備えている。
【００３９】
図１等に示すように、ペダル５の操作部４１は、正面側側壁部１４ａ側に配置され、操作収容部４８についても正面側側壁部１４ａ側に設けられている。また、正面側側壁部１４ａのうち操作収容部４８の上方に対応する部位は、容器本体２の内側に凹む形状とされ、特に、下部については、操作部４１の上面側に足先を踏み込めるように比較的大きく凹んだ形状とされている。加えて、図２に示すように、連通部４７の左右の側壁部には、ペダル軸部４５を回動可能に支持するペダル軸孔５０が設けられている。そして、ペダル軸孔５０にペダル５のペダル軸部４５が嵌入されることで、ペダル５が容器本体２に対し底壁構成部１２の下面側において回動可能に取付けられている。尚、本実施形態のペダル５は、容器本体２に装着されることで、その全体がペダル収容部４６に収まるように構成されており、ペダル５が容器本体２の外周面よりも外方に突出しないようになっている。
【００４０】
さらに、図２に示すように、連結収容部４９は、連動収容部３７の下部を兼ねる部位であって、ペダル連結部４４を連動収容部３７に収容された連動部材６の下方に位置させるための部位である。そして、連動部材６の下端部に相当する断面円形状の連動連結部３３を、断面略Ｃ字状のペダル連結部４４の内側に嵌めることで、連動部材６（連動連結部３３）と、ペダル５（ペダル連結部４４）とを回動可能に連結する。これにより、ペダル５の操作に応じて、連動部材６が上下に変位するようになっている。
【００４１】
すなわち、図１、図２に示すように、ペダル５は、操作部４１への操作が行われていない（踏まれていない）状態では、連動部材６の重さにより、ペダル軸部４５を中心として回動変位可能な範囲で、ペダル連結部４４側（後端部側）が下がり、操作部４１側（前端部側）が上がる姿勢を維持するようになっている。また、当該ペダル５の操作部４１への操作が行われていない状態では、連動部材６の延在部３４、及び、アーム部３５が、容器本体２の内側に収容された状態となるようになっている（図１６参照）。
【００４２】
その一方で、図３に示すように、操作部４１への操作が行われた場合には、ペダル５は、操作部４１側（前端部側）が下がり、ペダル連結部４４側（後端部側）が上がった姿勢となり、連動部材６が上方に変位するようになっている。また、詳しくは後述するが、ペダル５の操作部４１への操作が行われた状態では、連動部材６の延在部３４、及び、アーム部３５が、容器本体２よりも上方に突出するようになっている（図２２参照）。
【００４３】
尚、連動部材６がペダル５に連結されることにより、連動部材６の昇降ベース部３１が、容器本体２の裏面側側壁部１４ｂに沿って設けられるとともに、当該裏面側側壁部１４ｂの外面に当接又は近接するようになっている。また、上記のように、連動部材６が、容器本体２の外面側に設けられていることにより、連動部材６と、容器本体２の収容物とが干渉し、連動部材６の昇降動作が阻害される、或いは、収容物に悪影響を及ぼすといった事態が回避されるようになっている上、連動部材６と、ペダル５との連結を容器本体２の外側で比較的簡単に行うことができるようになっている。
【００４４】
加えて、図３、図４等に示すように、本実施形態のゴミ箱１は、容器本体２の内側に装着される袋（ゴミ袋）の上部を保持するための一対の袋止め部材５３を備えている。図１２に示すように、袋止め部材５３は、略コ字状の袋止め本体５４と、袋止め本体５４の両端部において外方に突出する袋止め軸部５５とを備えている。袋止め軸部５５は、円柱状をなし、先端部側に拡径部を有している。
【００４５】
これに対し、図５に示すように、容器本体２には、各長辺側側壁部１３に対応する張出し部１５の縦壁部１８に対し、長辺側側壁部１３の横幅方向中央部付近の位置において、一対の袋止め軸孔５６が設けられている。そして、袋止め本体５４を容器本体２の上縁部内側に沿わして配置可能な向きとして、袋止め軸部５５を袋止め軸孔５６に嵌入させることにより、袋止め部材５３が容器本体２に対して回動可能に取付けられている。
【００４６】
尚、袋止め本体５４は、基本的に、張出し部１５の下段壁部１７に支持される部位と、収容部１１の内側に嵌る部位とを備えて、断面略Ｌ字状をなしている（図１２、図２２参照）。また、袋止め本体５４の両端部は、袋止め軸部５５を下段壁部１７の上方に位置させるべく、上方に突出している（図３、図１２参照）。さらに、図４に示すように、一対の袋止め部材５３は、互いに同じ形状のものを使用している。加えて、一対の袋止め部材５３のうち、裏面側側壁部１４ｂ側に設けられる袋止め部材５３に関しては、裏面側側壁部１４ｂが容器本体２の内外周方向に凹凸している都合上、裏面側側壁部１４ｂの横幅方向両側部側において下段壁部１７に支持されることはないものの、裏面側側壁部１４ｂの横幅方向中央部付近では、下段壁部１７のうち挿通孔３８に隣接する部位により支持されるようになっている。
【００４７】
さて、図４、図９、図１０、図２１等に示すように、本実施形態の連動部材６の各アーム部３５は、延在部３４の端部から、延在部３４と略直交し、かつ、略水平方向に突出する第１アーム６１と、第１アーム６１の先端部から上方に突出するようにして設けられた第２アーム６２とを備えている。本実施形態の第１アーム６１は、連動部材６の容器本体２への装着状態において、裏面側側壁部１４ｂの横幅方向に沿って延びる延在部３４から、容器本体２の外方（各長辺側側壁部１３の横幅方向における中央部側とは反対側）に突出するとともに、蓋部材４の回転軸２４（図４、図６、図１７参照）に沿った方向に（蓋部材４の回転軸２４と並行して）延びている。さらに、第２アーム６２は、第１アーム６１の先端部から上方に延びる第１掛け部６３と、第１掛け部６３の先端部から、第１掛け部６３と直交し、かつ、各短辺側側壁部１４の横幅方向中央部側に向けて延びる第２掛け部６４とを備え、略Ｌ字状をなしている。
【００４８】
これに対し、図３、図４、図７等に示すように、蓋部材４は、閉位置にある場合の下面のうち、容器本体２の裏面側側壁部１４ｂ側、かつ、蓋部材４の短手幅方向における中央部よりも回転軸２４側の部位から突出する裏面側突片部６５を備えている。図８、図１６、図１８、図２１等に示すように、裏面側突片部６５は、ペダル５が操作されることで蓋部材４が開位置にある場合に上下に貫通し、蓋部材４が閉位置にある場合に短辺側側壁部１４の横幅方向に貫通する係止孔６６を備えている。当該係止孔６６が設けられることにより、裏面側突片部６５は、蓋部材４の横幅方向（回転軸２４方向）に沿って並ぶ一対の外側片部６７、及び、内側片部６８と、外側片部６７の先端部と、内側片部６８の先端部との間を連結する先端側片部６９とにより構成されるようになっている（図８、図１８参照）。尚、本実施形態の外側片部６７は、蓋部材４の短側辺部に対応する枠壁部２２の内側面と連結されている。
【００４９】
また、図８、図１８等に示すように、蓋部材４は、内側片部６８と、枠壁部２２のうち蓋部材４の回転軸２４側の部位との間を連結する補助片部７０を備えている。補助片部７０は、蓋部材４の短側辺部と平行して延びている（図１７参照）。さらに、裏面側突片部６５の天壁部２１からの突出長は、枠壁部２２の天壁部２１からの突出長よりも長く、補助片部７０の天壁部２１からの突出長は、枠壁部２２の天壁部２１からの突出長とほぼ同じであって、裏面側突片部６５の天壁部２１からの突出長よりも短くなっている。本実施形態では、補助片部７０と、裏面側突片部６５の先端側片部６９との間の距離は、裏面側側壁部１４ｂの横幅方向における第２アーム６２の幅よりも若干長くなっている。
【００５０】
加えて、図１８等に示すように、容器本体２には、裏面側側壁部１４ｂに対応する張出し部１５の両端部において、縦壁部１８、及び、上段壁部１９が省略される（下段壁部１７から直接縁壁部１６が延出する）ような格好で、蓋部材４が閉位置とされた場合に裏面側突片部６５を収容する突片収容凹部７１が設けられている。
【００５１】
ここで、連動部材６と、蓋部材４との連動態様について説明する。図１３、図１４、図１６、図１７に示すように、蓋部材４が閉位置とされている状態においては、裏面側突片部６５と、第２アーム６２とが、水平方向（本例では、裏面側側壁部１４ｂの横幅方向）においてずれた位置に相対配置されている。本実施形態では、裏面側突片部６５が、第２アーム６２の裏面側側壁部１４ｂの横幅方向中央部側に隣接して配置されている。また、図１５に示すように、第１アーム６１の上面が、補助片部７０の下辺部と当接、又は、近接して配置されている。
【００５２】
次に、蓋部材４が閉位置とされている状態から、ペダル５の操作が行われる（操作部４１が踏まれる）ことで、連動部材６が上方に変位する場合、図１８、図１９に示すように、蓋部材４の補助片部７０は、連動部材６の第１アーム６１と当接し、当該第１アーム６１から開位置側へ向かう外力が付加される。これにより、蓋部材４が上方に回動変位することとなる。さらに、本実施形態では、連動部材６が上方に変位し、蓋部材４が開位置とされる過程で、補助片部７０が第１アーム６１により上方かつ容器本体２の外方に押圧される状態の後、裏面側突片部６５の内側片部６８が、第１アーム６１の上面側と当接して上方に押圧される状態を経ることで、蓋部材４が、回転軸２４から上方に向けて略鉛直に延在する開位置とされるようになっている。勿論、ペダル５の操作が行われることで、一対の蓋部材４が同期して開位置へと変位する。
【００５３】
また、図２０等に示すように、本実施形態では、ペダル５が操作されることで蓋部材４が開位置とされる場合に、第２アーム６２の第２掛け部６４、及び、第１掛け部６３の上部が、裏面側突片部６５の係止孔６６に挿通されるようになっている。そして、図２１〜図２４に示すように、蓋部材４が完全に開位置とされた場合には、第１掛け部６３が係止孔６６を貫通し、第２掛け部６４が先端側片部６９の上面側に対向配置される（本例では、当接、又は、近接する）ようになっている。
【００５４】
尚、図１７、図２４等に示すように、補助片部７０、及び、裏面側突片部６５（内側片部６８）は、蓋部材４の回転軸２４に対して直交する方向に延び、その一方で、第１アーム６１は、蓋部材４の回転軸２４と平行して延びている（さらに、第２アーム６２が係止孔６６に挿通可能に構成される）。このため、蓋部材４を開位置とする際に、第１アーム６１が、補助片部７０、及び、裏面側突片部６５（内側片部６８）との摺動の途中で、当該補助片部７０、及び、裏面側突片部６５（内側片部６８）から外れる等といった事態が防止され、安定した摺動動作が確保される。加えて、図８、図１９、図２１等に示すように、補助片部７０のうち第１アーム６１と当接し得る部位については、その他の部位よりも天壁部２１からの突出長が短く構成されるとともに、その両端部が円弧状に構成されている。これにより、裏面側突片部６５の突出長を抑制しつつ、裏面側突片部６５において第２アーム６２を挿通可能とする係止孔６６を形成することができる上、蓋部材４の開放に際して第１アーム６１の補助片部７０から裏面側突片部６５（内側片部６８）に至る摺動が比較的スムースなものとなる。
【００５５】
続いて、図２１〜図２３に示すような、ペダル５が操作されて蓋部材４が開位置にある状態から、ペダル５への操作が解消される（ペダル５から足が離れる）ことで、連動部材６が下方に変位した場合には、連動部材６のアーム部３５の第２アーム６２の第２掛け部６４の下面が、裏面側突片部６５の先端側片部６９のうち上側を向いている面に当接する。これにより、蓋部材４（先端側片部６９）は、連動部材６（第２掛け部６４）から閉位置側へ向かう外力が付加され、かかる外力に基づいて閉位置へと傾動変位させられることとなる（図１８等参照）。開位置とされていた蓋部材４がある程度閉位置側に傾くことにより、蓋部材４は、自重によって閉位置まで変位する。勿論、ペダル５の操作が解消されることで、一対の蓋部材４が同期して閉位置へと変位する。
【００５６】
加えて、図１８、図２０等に示すように、ペダル５が操作されて蓋部材４が開位置にある状態から閉位置側に変位させられる場合には、第２アーム６２の係止孔６６への挿通状態が解消され（第２アーム６２が係止孔６６から抜け出し）、蓋部材４が閉位置とされた場合には、上記のように（図１４、図１６、図１７のように）、裏面側突片部６５と、第２アーム６２とが、水平方向においてずれた位置に相対配置されるようになっている。
【００５７】
尚、本実施形態では、補助片部７０のうち蓋部材４が閉位置にある場合の下辺部と、裏面側突片部６５の内側片部６８（特に、蓋部材４が開位置にある場合の下辺部）とにより、開き当接部が構成されている。さらに、第１アーム６１（特に、上面）により開き作用部が構成されている。また、裏面側突片部６５の先端側片部６９（特に、蓋部材４が開位置にある場合の上面）により閉じ当接部が構成されている。さらに、第２アーム６２（特に、第２掛け部６４の下面）により閉じ作用部が構成されている。
【００５８】
また、本実施形態では、ペダル５の操作を行うことなく、閉位置にある蓋部材４を開位置まで変位させる場合に、蓋部材４と、連動部材６とが干渉しないように構成されている。つまり、ペダル５の操作が行われておらず、下方に位置する連動部材６のアーム部３５の第２アーム６２（第２掛け部６４）は、開位置と閉位置との間を変位する蓋部材４の裏面側突片部６５の軌道から外れた位置に配置されている。このため、蓋部材４に直接手を掛ける等して、連動部材６を連動させることなく、蓋部材４を開位置に変位させることができる。
【００５９】
さらに、図２５に示すように、本実施形態のゴミ箱１は、上記のようにペダル５の操作を行うことなく（連動部材６を上方に変位させることなく）蓋部材４を開位置とさせた状態とすることで、下側のゴミ箱１（容器本体２）の内側に上側のゴミ箱１（容器本体２）の下部を収容させるようにして、上下に積み重ねる（ネスティングする）ことができるように構成されている。尚、図２６に示すように、ゴミ箱１を袋止め部材５３が装着されていない形態（図２６では、容器本体２に連動部材６、及び、ペダル５を装着しただけの形態）とし、ネスティングを行うことで、より効率的に保管等を行えるようになっている。
【００６０】
また、図２７に示すように、本実施形態のゴミ箱１は、ゴミ箱１同士を横並びとして、互いに連結可能に構成されている。つまり、図２に示すように、容器本体２の一方の長辺側側壁部１３の外面側には、横並び連結部７３が設けられている。さらに、図１等に示すように、他方の長辺側側壁部１３の外面側には、横並び連結部７３と連結される横並び被連結部７４が設けられている。横並び連結部７３、及び、横並び被連結部７４は、上下に相対変位させることで着脱可能に構成され、連結状態においては、連結されたゴミ箱１同士の水平方向における相対変位が防止されるようになっている。
【００６１】
以上詳述したように、本実施形態によれば、蓋部材４が閉位置とされている状態において、裏面側突片部６５と、第２アーム６２とが、水平方向においてずれた位置に相対配置されている。このため、蓋部材４が閉位置とされている状態において、裏面側突片部６５（先端側片部６９等）の上面側に、第２アーム６２（第２掛け部６４等）を含む連動部材６が対向配置されないように構成することができる。当該構成により、例えば、閉位置にある蓋部材４を容器本体２から取外す場合に、蓋部材４が連動部材６に引っ掛かるといった事態を回避することができる。さらに、連動部材６が装着された容器本体２に対し蓋部材４を装着する場合に、蓋部材４の装着が連動部材６により阻害されるといった事態を回避することができる。
【００６２】
その一方で、ペダル５への操作が行われることで蓋部材４が開位置とされている状態においては、第２アーム６２の第２掛け部６４が、裏面側突片部６５の先端側片部６９の上面側に対向配置されることから、蓋部材４と、連動部材６とが連結されていなくても、ペダル５の操作が解消されることで（連動部材６が下方に変位すると）、第２アーム６２の第２掛け部６４が、裏面側突片部６５の先端側片部６９に当接し、蓋部材４に対して閉位置側へ向かう外力を付加するといった、ペダル５、連動部材６、及び、蓋部材４の連動の機構を確立させることができる。従って、ゴミ箱１の組立て作業に際し、蓋部材４に関しては、単に、容器本体２に装着する（蓋部材４の軸部２３を容器本体２の軸孔２５に嵌着する）だけで、ペダル５の操作と連動する状態とすることができ、例えば、蓋部材４を容器本体２に装着するだけでなく、連動部材６と連結させる作業が必要な構成に比べ、ゴミ箱１の組立て作業性の向上を図ることができる。また、蓋部材４を容器本体２から取外す必要が生じた場合の作業性の向上を図ることもできる。
【００６３】
さらに、ペダル５への操作が行われることで蓋部材４が開位置とされている状態では、蓋部材４が上方に引っ張られる等して、当該蓋部材４が容器本体２から外れる方向に変位しようとしても、第２アーム６２の第２掛け部６４が裏面側突片部６５の先端側片部６９に当接することで、かかる変位が規制されることとなる。従って、例えば、ペダル５を勢いよく操作することで、蓋部材４が勢いよく開位置とされた反動で、蓋部材４が容器本体２から外れてしまう等の、蓋部材４の不用意な脱落を抑止することができる。
【００６４】
尚、本実施形態では、ペダル５の操作を行うことなく、閉位置にある蓋部材４を開位置まで変位させる場合に、蓋部材４と、連動部材６とが干渉しないようになっている。このため、ペダル５を操作することなく、閉位置にある蓋部材４に直接手を掛けて開位置へと変位させるような場合に、蓋部材４が連動部材６に引っ掛かる、或いは、蓋部材４に連動して連動部材６が持ち上がるといった事態が回避されることから、比較的容易に蓋部材４を開位置へと変位させることができる。従って、蓋部材４に直接手を掛けて開位置とさせる際の操作性の向上を図ることができる。
【００６５】
また、本実施形態では、第２アーム６２が、第１アーム６１の先端部から上方に突出する第１掛け部６３と、第１掛け部６３の先端部から延在部３４の長手幅方向中央部側に突出する第２掛け部６４とから構成され、ペダル５が操作されることで蓋部材４が開位置とされた状態では、第１掛け部６３が裏面側突片部６５の係止孔６６に挿通され、第２掛け部６４の下面側と、先端側片部６９の上面側とが対向配置されるようになっている。つまり、ペダル５が操作されることで蓋部材４が開位置とされた状態において、第２アーム６２の第２掛け部６４と、第１アーム６１とが上下に配置されるとともに、第２掛け部６４と、第１アーム６１との間に、裏面側突片部６５の先端側片部６９、及び、内側片部６８の一部が配置されるようになっている。当該構成により、連動部材６のうち蓋部材４に開位置側、及び、閉位置側への力を付加する部位（第１アーム６１、及び、第２掛け部６４）、並びに、連動部材６から開位置側、及び、閉位置側への力を受ける部位（裏面側突片部６５）の構成を極力コンパクトに構成することができる。
【００６６】
さらに、連動部材６の第１アーム６１は、蓋部材４の回転軸２４に沿った方向に（回転軸２４と略平行して）延びている。このため、第１アーム６１のうち、補助片部７０、及び、裏面側突片部６５の内側片部６８と当接可能な範囲を増加させる（点ではなく、線で当接させる）ことができ、ペダル５を操作して蓋部材４を開位置とさせる場合に、第１アーム６１と、補助片部７０、及び、内側片部６８とを確実に当接させることができる。さらに、例えば、第１アーム６１が蓋部材４の回転軸２４と直交して延びている場合のように、蓋部材４を開位置とする際に、第１アーム６１と、補助片部７０、及び、内側片部６８とが少しの位置ずれを起こしただけで、両者間の摺接状態が解消されてしまう、或いは、第１アーム６１が回転軸２４に対して比較的大きく傾いている場合のように、蓋部材４を開位置とする際に、扉部材４が回転軸２４に沿った方向における一方側、又は、他方側に寄せられるような格好となって回動変位し難くなってしまうといった事態を回避することができる。従って、ペダル５を操作して蓋部材４を開位置とさせる際の操作性の向上を図ることができる。特に、第１アーム６１のうち補助片部７０、及び、内側片部６８との当接面積が増加する場合、第１アーム６１、補助片部７０、及び、内側片部６８の損傷等をより確実に抑制することができる。
【００６７】
加えて、連動部材６の昇降ベース部３１は、容器本体２の裏面側側壁部１４ｂに沿って設けられるとともに、当該裏面側側壁部１４ｂの外面に当接又は近接するようにして配置されている。さらに、アーム部３５は、延在部３４の先端部から、容器本体２の外方に向けて突出している。このため、容器本体２の容積が連動部材６により減少してしまうといった事態を極力抑制することができる。また、例えば、蓋部材４を開位置としたゴミ箱１同士を積み重ねる（ネスティングする）場合、或いは、連動部材６を装着し、蓋部材４を装着していない状態の容器本体２同士をネスティングする場合において、連動部材６が極力ネスティングを阻害しないようにすることができ、ネスティング効率、ひいては、ゴミ箱１（容器本体２）の運搬・保管効率の向上等を図ることができる。
【００６８】
また、蓋部材４は一対で設けられ、連動部材６の昇降ベース部３１は、一対の蓋部材４の間の位置において上下に延び、延在部３４は、一対の蓋部材４の各回転軸２４の近傍位置まで延在するようにして設けられている。このため、１つの連動部材６で一対の蓋部材４を同時に開閉させることができ、連動部材６の構成の簡素化等を図ることができる。また、昇降ベース部３１が一対の蓋部材４の間の位置に設けられることから、蓋部材４が一対で設けられる場合において、連動部材６の構造の簡素化を図りつつ、連動部材６をバランス良く配置することができる。さらに、延在部３４は蓋部材４の回転軸２４の近傍位置まで延在することから、延在部３４の先端部に設けられるアーム部３５（第１アーム６１、及び、第２アーム６２）についても、蓋部材４の回転軸２４の近傍部位において、裏面側突片部６５や補助片部７０と当接することとなる。従って、蓋部材４の開閉に際しての連動部材６のストローク量を極力小さくすることができ、ペダル５の操作性等の向上（蓋部材４を開位置とする際のペダル５のストローク量の低減、ペダル５の操作に応じて蓋部材４が開閉される反応速度の向上等）を図ることができる。
【００６９】
加えて、裏面側突片部６５は、ペダル５への操作が行われて蓋部材４が開位置とされた状態において第２アーム６２が挿通される係止孔６６を備えている。このため、ペダル５が操作されることで蓋部材４が開位置とされる際の第２アーム６２（第２掛け部６４）と、裏面側突片部６５（先端側片部６９）との干渉を効率的に回避させることができ、ペダル５が操作されることで蓋部材４が開位置とされている状態において、ペダル５の操作を解消してから、第２掛け部６４が先端側片部６９と当接して、蓋部材４が閉位置側に変位するまでの時間の短縮（蓋部材４の反応速度の向上）等を図ることができる。従って、ペダル５による蓋部材４の開閉操作性の向上等を図ることができる。
【００７０】
尚、上記実施形態の記載内容に限定されず、例えば次のように実施してもよい。勿論、以下において例示しない他の応用例、変更例も当然可能である。
【００７１】
（ａ）上記実施形態では、アーム部３５（第１アーム６１）が、延在部３４の端部から延在部３４と直交して容器本体２の外方に突出しているが、延在部３４の端部から延在部３４と直交して容器本体２の内方に突出することとしてもよい。但し、上記実施形態のように、アーム部３５（第１アーム６１）を延在部３４の端部から延在部３４と直交して容器本体２の外方に突出させることで、アーム部３５、裏面側突片部６５、及び、補助片部７０を、収容部１１の外側に配置することができる。これにより、蓋部材４が閉位置にある場合に、アーム部３５、裏面側突片部６５、及び、補助片部７０が内容物と干渉することを回避することができ、また、ペダル５を操作することなく蓋部材４を開位置とした状態でゴミ箱１同士をネスティングする場合に、下側のゴミ箱１の裏面側突片部６５が上側のゴミ箱１に干渉することを回避することができる。
【００７２】
また、上記実施形態では、第１アーム６１が、蓋部材４の回転軸２４と平行して延びているが、特にかかる構成に限定されるものではなく、ペダル５の操作に応じて連動部材６が上昇した際に、蓋部材４の補助片部７０、及び、内側片部６８と当接して、蓋部材４に対して開位置側に向かう外力を付与することができるように構成されていればよい。さらに、第１アーム６１の断面形状は特に限定されるものではなく、適宜変更可能である。但し、第１アーム６１のうち、補助片部７０、及び、内側片部６８と当接し得る部位が曲面で構成され、第１アーム６１が蓋部材４の回転軸２４と平行に延びるように構成されることで、蓋部材４をよりスムースに回動変位させることができる。
【００７３】
加えて、第２アーム６２の形状についても特に限定されるものではなく、ペダル５の操作が解消され、連動部材６が下降した際に、蓋部材４の先端側片部６９と当接して、蓋部材４に対して閉位置側に向かう外力を付与することができるように（ペダル５の操作が行われることで蓋部材４が開位置とされている状態において、第２アームが、裏面側突片部６５の上面側に対向配置されるように）構成されていればよい。例えば、第２アーム６２が、第１アーム６１の先端部から上方に向けて延在部３４の中央部側に傾いて延出するように構成してもよい。
【００７４】
尚、蓋部材４のうちアーム部３５と接触して開位置側、又は、閉位置側への外力が付与される部位の形状については特に限定されるものではなく、例えば、補助片部７０が省略され、ペダル５が操作された場合に、アーム部３５が蓋部材４の天壁部２１の下面と当接して、蓋部材４が開位置側に変位されるように構成してもよい。
【００７５】
（ｂ）上記実施形態では、ペダル５の操作が行われることで蓋部材４が開位置とされている状態において、連動部材６の第２掛け部６４と、第１アーム６１とが上下に配置されるとともに、第２掛け部６４と、第１アーム６１との間に、裏面側突片部６５（先端側片部６９及び内側片部６８）が配置されるように構成されているが、特にかかる構成に限定されるものではなく、ペダル５の操作に連動して蓋部材４が開閉動作するとともに、ペダル５の操作を行うことなく閉位置にある蓋部材４を持ち上げる（例えば、開位置側に変位させる）場合には、蓋部材４に連動部材６が引っ掛からないように構成されていればよい。
【００７６】
例えば、図２８、図２９に示すゴミ箱８１の蓋部材８２は、（上記実施形態の裏面側突片部６５、及び、補助片部７０の代わりに、）閉位置にある蓋部材８２の下面から下方に突出し、蓋部材８２が開位置とされている状態において、互いに上下に離間して配置される第１突片部８３、及び、第２突片部８４と、第１突片部８３、及び、第２突片部８４のうち蓋部材４の横幅方向中央部側の側辺部間を連結する補助片部８５とを備えている。さらに、連動部材８６のアーム部８７は、延在部８８の両端部から当該延在部８８に対して直交して外方に突出する（蓋部材８２の回動軸と平行して延びる）第１アーム８９と、第１アーム８９の先端部から下方に突出する第２アーム９０とにより構成されている。また、ペダル操作が行われることで蓋部材８２が開位置にある状態において、第２アーム９０（の下端部）が、第２突片部８４の上面側に対向配置される（第１アーム８９、及び、第２アーム９０が、第１突片部８３と、第２突片部８４との間に配置される）ように構成されている。
【００７７】
蓋部材８２が閉位置にある場合、第１アーム８９の上面側と、補助片部８５の下辺部とが対向配置される（本例では、当接又は近接する）ようになっている。そして、図２９に示すように、ペダル操作が行われ、連動部材８６が上方に変位する場合、補助片部８５が第１アーム８９により上方に押圧され、蓋部材８２が開位置側に変位することとなる。その後、補助片部８５と摺接していた第１アーム８９が第１突片部８３の下面側と摺接し、第１突片部８３が第１アーム８９により上方に押圧される状態を経て、蓋部材８２が開位置とされる。尚、第２突片部８４には、蓋部材８２の回動変位に際し、第２アーム９０との干渉を避けるための孔部９１が設けられている。
【００７８】
図２８に示すように、ペダル操作により蓋部材８２が開位置とされた状態では、上記のように、第２アーム９０が、第２突片部８４の上面側に対向配置されるようになっている。また、ペダル操作が行われて蓋部材８２が開位置にある状態から、ペダル操作が解消された場合には、連動部材８６の下方への変位に伴い、第２アーム９０の下端部が、第２突片部８４の上面に当接し、これにより、蓋部材８２には閉位置側に向かう外力が付加されることとなる。開位置にある蓋部材８２が閉位置側にある程度傾くことにより、蓋部材８２は自重により、閉位置へと変位する。
【００７９】
また、蓋部材８２が閉位置とされている状態において、第２突片部８４（及び第１突片部８３）と、アーム部８７とが、水平方向においてずれた位置に相対配置されている。つまり、蓋部材８２が閉位置とされている状態においては、第２突片部８４の上面側に、アーム部８７を含む連動部材８６が対向配置されないように構成されている。尚、本態様例では、第１アーム８９が開き作用部に相当し、第２アーム９０が閉じ作用部に相当し、補助片部８５、及び、第１突片部８３が開き当接部に相当し、第２突片部８４が閉じ当接部に相当する。
【００８０】
以上のような構成を採用する場合においても、上記実施形態と同様に、ペダル操作を行った場合には、ペダル操作に蓋部材８２を連動させることができ、ペダル操作を行わずに蓋部材８２を持ち上げた場合（例えば、開位置側に変位させた場合）には、蓋部材８２に連動部材８６が引っ掛からないように構成することができる。結果として、ゴミ箱８１の組立て作業性の向上等を図ることができる。
【００８１】
尚、アーム部８７、第１突片部８３、及び、第２突片部８４の形状については特に限定されるものではなく、図３０、図３１に示すように、アーム部８７から第２アーム９０を省略し、ペダル操作が解消されて蓋部材８２が閉位置とされる際に、第１アーム８９の下面側が第２突片部８４の上面側に当接することで、蓋部材８２に閉位置側への外力が付与されるように構成してもよい。また、当該構成を採用する場合、第２突片部８４の孔部９１を省略可能である。ちなみに、第２アーム９０を設けることにより、ペダル操作が行われて蓋部材８２が開位置とされている状態において、アーム部８７と、第２突片部８４との間の隙間を極力少なくすることができ、ペダル操作を解消してから蓋部材８２が閉じ始めるまでの時間の短縮等を図ることができる。尚、第１アーム８９を延在部８８と直交して容器本体９２の外方に突出させるのではなく、延在部８８と直交して容器本体９２の内方に突出させることも可能である。
【００８２】
また、図２８、図２９（図３０、図３１）に示すゴミ箱８１の蓋部材８２には、蓋部材８２の天壁部９３の外周縁から下方に突出する枠壁部９４のうち、当該蓋部材８２の回転軸方向に対して直交して延びる辺部（特に、扉部材８２の開放端側の部位）において、閉位置にある扉部材８２の側辺部と、容器本体９２との間に指先を挿入させられるように凹状に形成されるとともに、蓋部材８２の側辺部に対して指先を掛けられるようにする手掛け部９５が設けられている。手掛け部９５が設けられることにより、閉位置にある蓋部材８２に直接手を掛けて開位置側に変位させる等の蓋部材８２への直接的な開閉操作を行い易くすることができる。尚、手掛け部９５の形状については特に限定されるものではなく、例えば、指先への掛かりが良くなるような断面略鉤状等に構成することとしてもよい。
【００８３】
（ｃ）上記実施形態では、蓋部材４が一対で設けられているが、１つの蓋部材により容器本体２の開口部３が開閉されるように構成してもよい。但し、容器本体２の開口部３を一対の蓋部材４で開閉する構成により、蓋部材４と連動部材６とを連動させる機構にかかる負担の軽減、ゴミ箱１の開閉に要する時間の短縮等を図ることができる。また、上記実施形態では、蓋部材４が長辺側側壁部１３に対応して（回転軸２４が長辺側側壁部１３の横幅方向に沿って延びるようにして）装着されているが、短辺側側壁部１４に対応して装着されることとしてもよい。
【００８４】
さらに、上記実施形態では、連動部材６が、蓋部材４が対応して装着されている長辺側側壁部１３ではなく、短辺側側壁部１４（裏面側側壁部１４ｂ）に対応して装着されているが、蓋部材４が対応して装着されている側壁部と同じ側壁部に装着されることとしてもよい（特に、容器本体２に装着される蓋部材４が１枚のみの場合）。この場合のアーム部は、例えば、開き作用部としての第１アームが延在部３４を延長させるようにして設けられ（延長部３４の両端部により構成され）、第２アームが、第１アームの先端部から上方に延びる第１掛け部と、第１掛け部の先端部から水平方向かつ第１アームと略直交して延びる閉じ作用部としての第２掛け部とを備えることとしてもよい。加えて、上記実施形態では、容器本体２が四角い箱状をなしているが、容器本体２の形状は特に限定されるものではなく、例えば、略円筒状に構成されてもよい。
【００８５】
また、上記実施形態では、一対の蓋部材４の形状が異なる（裏面側突片部６５、及び、補助片部７０の形成位置が異なる）ように構成されているが、同形状のもの（裏面側突片部６５、及び、補助片部７０をそれぞれ一対で設ける等して、左右対称形状とする）としてもよい。この場合、蓋部材４の共通化が図られ、作業性の向上、在庫管理等における利便性の向上等を図ることができる。
【００８６】
加えて、上記実施形態では、蓋部材４に突状の軸部２３が設けられ、容器本体２に軸孔２５が設けられているが、容器本体２に軸部を設け、蓋部材４に軸孔、若しくは、有底状の軸穴を設けるような構成としてもよい。また、ペダル５の操作を行うことなく蓋部材４が開位置とされることで、蓋部材４を容器本体２から取外し易くなるような構成（例えば、蓋部材４に設けられた軸穴が、蓋部材４が開位置とされた状態で下方に開口する略Ｃ字状をなし、開位置とされた蓋部材４を上方に抜取り易くなる）を採用してもよい。尚、ペダル５の操作を行って蓋部材４を開位置とした場合には、連動部材６の第２アーム６２が蓋部材４の裏面側突片部６５（先端側片部６９）に引っ掛かるため、蓋部材４を容器本体２から取外せないようになっている。
【００８７】
（ｄ）また、連動部材６、及び、ペダル５の形状や配置等についても特に限定されるものではない。例えば、連動部材６が、互いに相対変位可能な複数のパーツにより構成されることとしてもよい。但し、ゴミ箱１の製造に関する作業性やコスト等を鑑みれば、部品点数は極力少ない方が望ましい。さらに、ペダル５、及び、連動部材６が容器本体２の外周面から外方に突出するように構成されていてもよい。但し、ゴミ箱１の設置に関する省スペース化や、ペダル５での躓き防止を図るべく、ペダル５、及び、連動部材６は、容器本体２の外周面から突出しないよう構成されることが望ましい。さらに、上記実施形態のように、短辺側側壁部１４のうち操作収容部４８の上方に対応する部位（短辺側側壁部１４の上縁部又はその近傍まで）を、容器本体２の内側に凹む形状とすることにより、上方からペダル５の操作部４１の位置を確認し易くすることができるとともに、短辺側側壁部１４の強度の向上を図ることができる。
【００８８】
また、上記実施形態では、使用者がゴミ箱１を開放する際に操作する操作部材として、足先での操作を想定したペダル５に具体化されているが、特にかかる構成に限定されるものではなく、手による操作を想定したハンドル、ボタン等に適用することも可能である。
【００８９】
さらに、上記実施形態では、一対（２枚）の蓋部材４を、１つの連動部材６、及び、１つのペダル５によって開閉操作するように構成されているが、各蓋部材４に対応して連動部材、及び、ペダルを設けることとしてもよい。例えば、左右一対のペダルを左右に隣接させて設けるとともに、左側のペダルと、左側の扉部材とを連動させる連動部材、及び、右側のペダルと、右側の扉部材とを連動させる連動部材を設け、左右一方のペダルを踏むと片方の扉部材が開き、左右両方のペダルを踏むと両方の扉部材が開くように構成してもよい。また、例えば、扉部材が３つ以上ある場合に、複数の扉部材を一度に開閉させる連動部材及びペダルと、前記複数の扉部材とは別の１つの扉部材を開閉させる連動部材及びペダルとを具備するように構成してもよい。
【００９０】
加えて、上記実施形態では、連動部材６が左右対称形状をなしているが、非対称形状としてもよい。例えば、ペダル５が容器本体２の横幅方向中央部よりも右側にずれた位置に設けられることに応じて、昇降ベース部３１についても、連動部材６の横幅方向中央部から右側にずれた位置に設けられること（昇降ベース部３１から左方に延びる延在部３４と、右方に延びる延在部３４とで延出長が異なること）としてもよい。また、例えば、一対の扉部材４のうち一方と、他方とで、平面視の面積が異なる（重さが異なる）ような構成において、一対の扉部材４のバランスに応じて、連動部材６の横幅方向における昇降ベース部３１の位置を設定するように構成してもよい。
【００９１】
（ｅ）上記実施形態では、容器本体２、蓋部材４、及び、ペダル５は、ポリプロピレンにより構成されているが、ポリエチレン、ＰＥＴ、ポリアミド等その他の樹脂材料により構成されることとしてもよい。さらに、連動部材６は金属製の棒状体を折り曲げたりすることにより構成されているが、樹脂材料等で構成することも可能である。
【００９２】
また、上記実施形態では、蓋付き容器としてゴミ箱１に具体化されているが、例えば、ゴミ以外の物品（例えば、ボール、おもちゃ、雑貨、資材等）を収納・保管する収納箱等として利用することも可能である。加えて、上記実施形態では、蓋部材４を開位置としたゴミ箱１同士や、蓋部材４を取外した容器本体２同士をネスティングしたり、ゴミ箱１同士を横並びで係止構造により簡易的に連結したりすることができるように構成されているが、それらを行うことのできないゴミ箱１に適用することも可能である。
【符号の説明】
【００９３】
１…ゴミ箱、２…容器本体、３…開口部、４…蓋部材、５…ペダル、６…連動部材、１１…収容部、１３…長辺側側壁部、１４…短辺側側壁部、１４ｂ…裏面側側壁部、１５…張出し部、２４…回転軸、３１…昇降ベース部、３４…延在部、３５…アーム部、６１…第１アーム、６２…第２アーム、６３…第１掛け部、６４…第２掛け部、６５…裏面側突片部、６６…係止孔、６８…内側片部、６９…先端側片部、７０…補助片部、８１…ゴミ箱、８２…蓋部材、８３…第１突片部、８４…第２突片部、８５…補助片部、８６…連動部材、８７…アーム部、８８…延在部、８９…第１アーム、９０…第２アーム、９２…容器本体。
【図１】
2019137422.tif 000003
【図２】
2019137422.tif 000004
【図３】
2019137422.tif 000005
【図４】
2019137422.tif 000006
【図５】
2019137422.tif 000007
【図６】
2019137422.tif 000008
【図７】
2019137422.tif 000009
【図８】
2019137422.tif 000010
【図９】
2019137422.tif 000011
【図１０】
2019137422.tif 000012
【図１１】
2019137422.tif 000013
【図１２】
2019137422.tif 000014
【図１３】
2019137422.tif 000015
【図１４】
2019137422.tif 000016
【図１５】
2019137422.tif 000017
【図１６】
2019137422.tif 000018
【図１７】
2019137422.tif 000019
【図１８】
2019137422.tif 000020
【図１９】
2019137422.tif 000021
【図２０】
2019137422.tif 000022
【図２１】
2019137422.tif 000023
【図２２】
2019137422.tif 000024
【図２３】
2019137422.tif 000025
【図２４】
2019137422.tif 000026
【図２５】
2019137422.tif 000027
【図２６】
2019137422.tif 000028
【図２７】
2019137422.tif 000029
【図２８】
2019137422.tif 000030
【図２９】
2019137422.tif 000031
【図３０】
2019137422.tif 000032
【図３１】
2019137422.tif 000033